(57)【特許請求の範囲】
【請求項１】
誘導される電流の位相が互いに逆相となるように配設された複数のセルコイルを直列に接続して出力を取り出すように構成された受信アンテナコイルの対よりなる電流誘導手段と、
上記対をなす受信アンテナコイルによってそれぞれ誘導される誘導電流の位相を相対的に所定の角度ずらせる位相シフト手段と、
上記位相シフト手段によって位相シフトされた後の各誘導電流を加算する誘導電流加算手段とを具備し、
上記位相シフト手段は、上記対をなす受信アンテナコイルから出力される誘導電流を相互に９０度±３０度以内の位相差をつけて位相シフトするように動作するとともに、
上記対をなす受信アンテナコイルは、同じ平面上に配設されている第１の受信アンテナコイルと第２の受信アンテナコイルとからなり、上記第１の受信アンテナコイル及び上記第２の受信アンテナコイルは、互いのセルコイルとセルコイルとの境界領域がずれて重なるように位置をずらして配置されていることを特徴とする受信アンテナ装置。
【請求項２】
上記位相シフト手段は、上記第１の受信アンテナコイルから出力される誘導電流の位相をシフトする第１の位相シフト回路と、上記第２の受信アンテナコイルから出力される誘導電流の位相をシフトする第２の位相シフト回路とからなり、上記第２の位相シフト回路の位相シフト量は、上記第１の位相シフト回路の位相シフト量よりも９０度大きく設定されていることを特徴とする請求項１に記載の受信アンテナ装置。
【請求項３】
誘導される電流の位相が互いに逆相となるように配設された複数のセルコイルを直列に接続して出力を取り出すように構成された受信アンテナコイルの対よりなる電流誘導手段と、
上記対をなす受信アンテナコイルによってそれぞれ誘導される誘導電流の位相を相対的に所定の角度ずらせる位相シフト手段と、
上記位相シフト手段によって位相シフトされた後の各誘導電流を加算する誘導電流加算手段とを具備し、
上記位相シフト手段は、上記対をなす受信アンテナコイルから出力される誘導電流を相互に９０度±３０度以内の位相差をつけて位相シフトするように動作するとともに、
上記対をなす受信アンテナコイルは、同じ平面上に配設されている第１の受信アンテナコイルと第２の受信アンテナコイルとからなり、上記第１の受信アンテナコイル及び上記第２の受信アンテナコイルは、互いのセルコイルとセルコイルとの境界領域がずれて重なるように位置をずらして配置されている受信アンテナ装置を複数個組み合わせたことを特徴とする受信アンテナ装置。
【発明の詳細な説明】
【０００１】
【発明の属する技術分野】
本発明は受信アンテナ装置に関し、特に、リーダ／ライタ装置がサービスエリアに交番磁界を供給するとともに、上記リーダ／ライタ装置から送信する交番磁界に変調をかけてコマンドやデータを送り、データキャリアはその内蔵するコイルに、上記リーダ／ライタ装置から供給される交番磁界を受けて誘導される起電力を整流して動作電源に利用するとともに、上記交番磁界にかけられてきた変調を復調してコマンドやデータを受けとって動作するデータキャリアシステムに用いて好適な受信アンテナ装置に関する。
【０００２】
【従来の技術】
プラスチック製のカードにＩＣチップを配設してなるデータキャリア（子機）と、上記データキャリアに無線で交番磁界を供給するリーダ／ライタ装置（親）とからなるデータキャリアシステムが普及してきている。
【０００３】
このようなデータキャリアシステムにおいて、広いサービスエリア内に存在するデータキャリアとリーダ／ライタ装置とが通信を行う場合がある。例えば、或る製品にデータキャリアを個別に付設しておき、複数の製品をトレー等にまとめて載せた状態で各データキャリアのＩＤやデータをリーダ／ライタ装置により読み取ったり、或いは上記リーダ／ライタ装置から上記データキャリアにデータを書き込んだりしている。
【０００４】
上述のように種々の分野で利用が広がっているデータキャリアであるが、非接触型のデータキャリアにおいては、自己の使用する電力を、リーダ／ライタ装置から供給される交番磁界から得ている。
【０００５】
すなわち、非接触型のデータキャリアは送受信用アンテナを有しており、リーダ／ライタ装置から送信される交番磁界を上記送受信用アンテナで受信し、上記交番磁界の大きさに応じて誘導される電流を整流して動作電力としている。
【０００６】
このようなデータキャリアの応用例では、一台のリーダ／ライタ装置がサービスエリア内に存在する多数のデータキャリアと通信を行う場合が多い。この通信時に、上記リーダ／ライタ装置がサービスエリアに交番磁界を供給するとともに、上記交番磁界に変調をかけてコマンドやデータを送るようにしている。
【０００７】
上記複数のデータキャリアは、リーダ／ライタ装置から供給される交番磁界を内蔵するコイルに受けて、上記コイルに誘導する起電力を動作電源に利用するとともに、交番磁界にかけられてきた変調を検波してコマンドやデータを受けとって動作するようにしている。
【０００８】
このようなデータキャリアの応用では、例えば、データキャリアを１個づつ商品につけておき、上記複数の商品を、整列されない状態でコンテナ等に入れたままでデータキャリアのＩＤやデータを上記コンテナの外部から読み取ったり、管理データを書き込むようにすることがある。
【０００９】
このような場合に、上記商品を入れたコンテナサイズが大きい場合には、製品のサイズが大きかったり、製品の位置がずれたりする場合は、サービスエリアを広くするために大きな受信アンテナコイル用いる必要があった。
【００１０】
上述の様な大きな受信アンテナコイルを用いると、受信アンテナコイル周囲の広い範囲のノイズ源から飛来する信号まで受信してしまうので、データキャリアからの受信信号が周囲からのノイズに埋もれてしまい、妨害を受け易い問題があった。特に、同様のデータキャリアシステムが近傍にあると、互いに動作を妨害しあうことにより、正常な通信を行うことが困難になってしまう問題があった。
【００１１】
このため従来は、図４に示す様に、複数のセルコイル１，２を組み合わせた受信アンテナコイルＬｘと、同じく複数のセルコイル１１，１２を組み合わせた受信アンテナコイルＬYとを用い、隣り合うセルコイルを逆相にすることで、周囲からの妨害信号からの影響を下げるようにする工夫が行われていた。
【００１２】
上述のようにすることにより、サービスエリアからかなり離れた遠方より飛来してくる磁界は、受信アンテナコイルを構成する各セル（１，２，１１，１２）にほぼ均一に結合するので、隣り合うセルの信号出力は逆相に加算される。これにより、各セルに誘導された電流は互いに打ち消し合い、結果として出力されないか、十分に減衰させることができる。
【００１３】
ここで、通信距離が遠いか近いかの判定は、受信アンテナコイルを構成するセルコイルのサイズ相当で判定される。さらに、セルコイルとセルコイルとの境界の領域にあるデータキャリアからの信号も打ち消し合って受信ができなくなる問題が生じる。
【００１４】
【発明が解決しようとする課題】
上述のような種々の問題点を解消するために、図４に示した受信アンテナ装置においては、上記第２の受信アンテナコイルＬYの配設位置を、上記第１の受信アンテナコイルＬｘとはずらせて組み合わせて配置している。
【００１５】
そして、各受信アンテナコイルＬｘ、ＬYから出力される誘導電流を、選択回路３０を介して交互に取り出し、これを受信回路１０に出力することで、互いのサービスエリアを補完させるようしていた。このため、従来の受信アンテナ装置を用いると、複数の受信アンテナコイル毎に誘導される電流を順次取り出すこととなるので、リーダ／ライタ装置とデータキャリアとの通信時間が長くなってしまう問題があった。
【００１６】
上記通信時間が長くなる問題に関しては、受信アンテナコイル毎に受信回路を備え、同時に動作させるようにすれば解決できる。しかしながら、このような構成にすると、受信回路の数が増える上に、受信結果を判定する回路も含めて全体の回路規模が大きくなってしまう問題があった。
【００１７】
本発明は上述の問題点にかんがみ、リーダ／ライタ装置とデータキャリアとの通信時間を、受信回路の規模を増大させることなく短縮することが可能な受信アンテナ装置を提供できるようにすることを目的とする。
【００１８】
【課題を解決するための手段】
本発明の受信アンテナ装置は、誘導される電流の位相が互いに逆相となるように配設された複数のセルコイルを直列に接続して出力を取り出すように構成された受信アンテナコイルの対よりなる電流誘導手段と、上記対をなす受信アンテナコイルによってそれぞれ誘導される誘導電流の位相を相対的に所定の角度ずらせる位相シフト手段と、
上記位相シフト手段によって位相シフトされた後の各誘導電流を加算する誘導電流加算手段とを具備し、上記位相シフト手段は、上記対をなす受信アンテナコイルから出力される誘導電流を相互に９０度±３０度以内の位相差をつけて位相シフトするように動作するとともに、上記対をなす受信アンテナコイルは、同じ平面上に配設されている第１の受信アンテナコイルと第２の受信アンテナコイルとからなり、上記第１の受信アンテナコイル及び上記第２の受信アンテナコイルは、互いのセルコイルとセルコイルとの境界領域がずれて重なるように位置をずらして配置されていることを特徴とする。
また、本発明の他の特徴とするところは、上記位相シフト手段は、上記第１の受信アンテナコイルから出力される誘導電流の位相をシフトする第１の位相シフト回路と、上記第２の受信アンテナコイルから出力される誘導電流の位相をシフトする第２の位相シフト回路とからなり、上記第２の位相シフト回路の位相シフト量は、上記第１の位相シフト回路の位相シフト量よりも９０度大きく設定されていることを特徴とする。
また、本発明のその他の特徴とするところは、誘導される電流の位相が互いに逆相となるように配設された複数のセルコイルを直列に接続して出力を取り出すように構成された受信アンテナコイルの対よりなる電流誘導手段と、上記対をなす受信アンテナコイルによってそれぞれ誘導される誘導電流の位相を相対的に所定の角度ずらせる位相シフト手段と、
上記位相シフト手段によって位相シフトされた後の各誘導電流を加算する誘導電流加算手段とを具備し、上記位相シフト手段は、上記対をなす受信アンテナコイルから出力される誘導電流を相互に９０度±３０度以内の位相差をつけて位相シフトするように動作するとともに、上記対をなす受信アンテナコイルは、同じ平面上に配設されている第１の受信アンテナコイルと第２の受信アンテナコイルとからなり、上記第１の受信アンテナコイル及び上記第２の受信アンテナコイルは、互いのセルコイルとセルコイルとの境界領域がずれて重なるように位置をずらして配置されている受信アンテナ装置を複数個組み合わせたことを特徴とする。
【００１９】
【発明の実施の形態】
次に、添付図面を参照しながら本発明の受信アンテナ装置の実施形態を説明する。
図１に、本発明の第１の実施形態による受信アンテナ装置の一例を示す。図１に示したように、本実施形態の受信アンテナ装置は、第１の受信アンテナコイルＬX、第２の受信アンテナコイルＬYより成る。
【００２０】
そして、上記第１の受信アンテナコイルＬXは、第1のセルコイル１及び第２のセルコイル２で構成されている。また、第２の受信アンテナコイルＬYは、第３のセルコイル１１及び第４のセルコイル１２で構成されている。
【００２１】
これらの第1及び第２のセルコイル１，２、第３及び第４のセルコイル１１，１２は、位置が相互にずれて配置されており、リーダ／ライタ装置Ｚが通信を行うサービスエリアの全体をカバーしている。
【００２２】
これらの点では、上述した図４に示した従来の受信アンテナ装置の例と同様であるが、本実施形態の受信アンテナ装置においては、各セルコイルＬX，ＬYの出力を、位相シフト手段を構成する第１の位相シフト回路Ｐ1，第２の位相シフト回路Ｐ2に供給している。
【００２３】
そして、上記第１の位相シフト回路Ｐ1，第２の位相シフト回路Ｐ2において、上記第１の受信アンテナコイルＬXから出力される誘導電流の位相と、上記第２の受信アンテナコイルＬYから出力される誘導電流の位相とを異ならせるようにしている。本実施形態においては、上記第２の位相シフト回路の位相シフト量は、上記第１の位相シフト回路の位相シフト量よりも９０度大きく設定されている。
【００２４】
上述のように、第１の位相シフト回路Ｐ1，第２の位相シフト回路Ｐ2において位相シフトされた各誘導電流は、誘導電流加算手段を構成する加算回路１０において加算される。上記誘導電流の位相をシフトすること、及び位相シフトした各誘導電流を加算することが、図４に示した受信アンテナ装置の例とは異なっている。
【００２５】
上述のように構成された本実施形態のアンテナ装置は、以下に説明するように動作する。
すなわち、リーダ／ライタ装置からの信号は、第１の受信アンテナコイルＬXのセルコイル１，２に誘導され誘導電流が生成されるとともに、第２の受信アンテナコイルＬYのセルコイル１１，１２に誘導されて誘導電流が生成される。
【００２６】
いま、第１の受信アンテナコイルＬXの第１のセルコイル１に誘導される信号の位相を基準にとると、第１の受信アンテナコイルＬXのセルコイル２に誘導される信号は位相が反転している。
【００２７】
また、第２の受信アンテナコイルＬYを構成する第１のセルコイル１１に誘導される信号は、上述した基準と同じ位相であり、第２の受信アンテナコイルＬYのセルコイル１２に誘導される信号は位相が反転している。
【００２８】
第１の受信アンテナコイルＬXと、第２の受信アンテナコイルＬYの出力は、第１の位相シフト回路Ｐ1，第２の位相シフト回路Ｐ2を通して加算されている。本実施形態においては、第２の位相シフト回路Ｐ2での位相シフト量は、第１の位相シフト回路Ｐ1での位相シフト量よりも９０度大きく設定されている。
【００２９】
いま、第１の受信アンテナコイルＬXに誘導された信号が、第１の位相シフト回路Ｐ1を通った信号成分の位相を基準とすると、第１の受信アンテナコイルＬXの第２のセルコイル２に誘導された信号が位相シフト回路Ｐ1を通った信号成分の位相は、基準の位相に対して反転している。
【００３０】
すなわち、上記第１の受信アンテナコイルＬXに誘導された信号が第１の位相シフト回路Ｐ1を通った信号Ｉｘは、
Ｉｘ＝Ｉ0Ｓｉｎ(２πｆｔ）  …（１式）
と表せる。ここで、
Ｉ0：振幅
ｆ：  受信磁界の交番周波数
【００３１】
また、第２の受信アンテナコイルＬYに誘導された信号が、第２の位相シフト回路Ｐ2を通った信号は、基準の位相に対して９０度遅れている。
【００３２】
すなわち、上記第２の受信アンテナコイルＬYに誘導された信号が第２の位相シフト回路Ｐ２を通った信号ＩYは、
ＩY＝Ｉ1Ｃｏｓ(２πｆｔ）  …（２式）
と表せる。ここで、
Ｉ1：振幅
ｆ：  受信磁界の交番周波数
【００３３】
そして、本実施形態においては、これらの信号Ｉｘ、ＩYを加算している。９０度の位相差のあるこれらの正弦波信号は加算しても、打ち消し合ってなくなることはなく、互いの振幅比に応じて位相が変化するだけである。
【００３４】
よって、以降の信号処理においては、加算後の信号だけを処理すればよいので、信号処理に要する回路規模を小さくすることができる利点がある。また、複数のアンテナ装置を配設しているが、誘導電流加算手段を構成する加算回路Ａ1でもって各信号を加算しているので、各受信アンテナ装置に誘導された電流を順番に受信する必要がない。したがって、本実施形態の受信アンテナ装置によれば、複数の受信アンテナコイルを配設して構成しているにも係わらず、信号受信速度を高速化することができる。
【００３５】
図２に、本発明の受信アンテナ装置の別の実施形態を示す。
図２の例は、図１の実施形態に対して、送信アンテナからの駆動磁界が受信アンテナに誘導されるときに、バランス良く打ち消されるようにした例である。これにより、周囲からのノイズのキャンセル特性を一層向上させることができる。
【００３６】
すなわち、第１の受信アンテナコイルＬXを、第１のセルコイル２１、第２のセルコイル２２で構成し、第２の受信アンテナコイルＬYを第１のセルコイル３１、第２のセルコイル３２、第３のセルコイル３３で構成している。
【００３７】
上記セルコイル２１，２２で誘導された誘導電流を第１の位相シフト回路Ｐ1に供給して位相シフトするとともに、セルコイル３１，３２，３３で誘導された誘導電流を第２の位相シフト回路Ｐ2に供給して位相シフトするようにしている。そして、位相シフトされた誘導電流を加算回路Ａ2によって加算するようにしている。
【００３８】
図４は、２組の受信アンテナコイル対を備えて２回に分けて受信するようにした例を示す図である。
図４に示したように、この受信アンテナ装置は、複数のセルコイルを組み合わせた受信アンテナコイルを用い、隣り合うセルコイルを逆相にすることで、周囲からの妨害信号からの影響を下げるようにしている。
【００３９】
すなわち、第１の受信アンテナコイルＬ1、第２の受信アンテナコイルＬ2、第３の受信アンテナコイルＬ3、第４の受信アンテナコイルＬ4の４つの受信アンテナコイルにより電流誘導手段が構成されている。
【００４０】
また、上記第１の受信アンテナコイルＬ1は、第１のセルコイル４１、第２のセルコイル４２、第３のセルコイル４３、第４のセルコイル４４の４つのセルコイルによって構成されている。
【００４１】
上記第１のセルコイル４１と第２のセルコイル４２とは、図４中の左右方向に並んで設置されており、これらのセルコイル４１，４２によって誘導される電流は相互に逆相となるようになされている。
【００４２】
また、上記第１のセルコイル４１と第３のセルコイル４３、及び第２のセルコイル４２と第４のセルコイル４４とが、図４中において上下方向に配設されており、上記第１のセルコイル４１に誘導された電流と第３のセルコイル４３に誘導された電流とが相互に逆相となって打ち消し合い、上記第２のセルコイル４２に誘導された電流と第４のセルコイル４４に誘導された電流とが打ち消し合うようになされている。
【００４３】
そして、上述のように構成された第１の受信アンテナコイルＬ1によって誘導された電流が第１の位相シフト回路Ｐ1に入力される。上記第１の位相シフト回路Ｐ1は、上記第１の受信アンテナコイルＬ1によって誘導された電流の位相を所定の角度だけシフトして第１の加算回路Ａ3に出力する。
【００４４】
また、上記第２の受信アンテナコイルＬ2は、第１のセルコイル５１、第２のセルコイル５２、第３のセルコイル５３、第４のセルコイル５４の４つのセルコイルによって構成されている。
【００４５】
上記第１のセルコイル５１と第２のセルコイル５２とは、図４中の左右方向に並んで設置されており、これらのセルコイル５１，５２によって誘導される電流は相互に逆相となるようになされている。
【００４６】
また、上記第１のセルコイル５１と第３のセルコイル５３、及び第２のセルコイル５２と第４のセルコイル５４とが、図４中において上下方向に配設されており、上記第１のセルコイル５１に誘導された電流と第３のセルコイル５３に誘導された電流とが相互に逆相となって打ち消し合い、上記第２のセルコイル５２に誘導された電流と第４のセルコイル５４に誘導された電流とが打ち消し合うようになされている。
【００４７】
そして、上述のように構成された第２の受信アンテナコイルＬ2によって誘導された電流が第２の位相シフト回路Ｐ2に入力される。上記第２の位相シフト回路Ｐ2は上記第１の位相シフト回路Ｐ1と同様に、上記第２の受信アンテナコイルＬ2によって誘導された電流の位相をシフトするものであるが、第１の位相シフト回路Ｐ1での位相シフト量よりも９０度大きく位相シフトするように設定されている。そして、上記第１及び第２の位相シフト回路Ｐ1、Ｐ2によって位相シフトされた誘導電流が第３の加算回路Ａ3によって加算される。
【００４８】
また、上記第３の受信アンテナコイルＬ3は、第１のセルコイル６１、第２のセルコイル６２、第３のセルコイル６３、第４のセルコイル６４の４つのセルコイルによって構成されている。
【００４９】
上記第１のセルコイル６１と第２のセルコイル６２とは、図４中の左右方向に並んで設置されており、これらのセルコイル６１，６２によって誘導される電流は相互に逆相となるようになされている。
【００５０】
また、上記第１のセルコイル６１と第３のセルコイル６３、及び第２のセルコイル６２と第４のセルコイル６４とが、図４中において上下方向に配設されており、上記第１のセルコイル６１に誘導された電流と第３のセルコイル６３に誘導された電流とが相互に逆相となって打ち消し合い、上記第２のセルコイル６２に誘導された電流と第４のセルコイル６４に誘導された電流とが打ち消し合うようになされている。
【００５１】
そして、上述のように構成された第３の受信アンテナコイルＬ3によって誘導された電流が第３の位相シフト回路Ｐ3に入力される。上記第３の位相シフト回路Ｐ3は上記第１の位相シフト回路Ｐ1と同様に、上記第３の受信アンテナコイルＬ3によって誘導された電流の位相を所定の角度だけシフトして第４の加算回路Ａ4に出力する。
【００５２】
また、上記第４の受信アンテナコイルＬ4は、第１のセルコイル７１、第２のセルコイル７２、第３のセルコイル７３、第４のセルコイル７４の４つのセルコイルによって構成されている。
【００５３】
上記第１のセルコイル７１と第２のセルコイル７２とは、図４中の左右方向に並んで設置されており、これらのセルコイル７１，７２によって誘導される電流は相互に逆相となるようになされている。
【００５４】
また、上記第１のセルコイル７１と第３のセルコイル７３、及び第２のセルコイル７２と第４のセルコイル７４とが、図４中において上下方向に配設されており、上記第１のセルコイル７１に誘導された電流と第３のセルコイル７３に誘導された電流とが相互に逆相となって打ち消し合い、上記第２のセルコイル７２に誘導された電流と第４のセルコイル７４に誘導された電流とが打ち消し合うようになされている。
【００５５】
そして、上述のように構成された第４の受信アンテナコイルＬ4によって誘導された電流が第４の位相シフト回路Ｐ4に入力される。上記第４の位相シフト回路Ｐ4は、上記第４の受信アンテナコイルＬ4によって誘導された電流の位相を第３の位相シフト回路Ｐ3での位相シフト量よりも９０度大きく位相シフトするように設定されている。
【００５６】
第３の加算回路Ａ3は、第１の位相シフト回路Ｐ1の出力及び第２の位相シフト回路Ｐ2の出力を加算して選択回路３０の一方の固定端子３０ａに出力する。また、第４の加算回路Ａ4は、第３の位相シフト回路Ｐ3の出力及び第４の位相シフト回路Ｐ4の出力を加算して選択回路３０の他方の固定端子３０ｂに出力する。
【００５７】
選択回路３０は、可動端子３０ｃを一方の固定端子３０ａ側及び他方の固定端子３０ｂ側に切り換えながら、第１の受信アンテナコイルＬ1〜第４の受信アンテナコイルＬ4で誘導した信号を受信回路１０に導出する。
【００５８】
本実施形態においては、上述したように、２組の受信アンテナ装置を組み合わせ、１６個のセルコイルで誘導した電流を用いてリーダ／ライタ装置Ｚから放射された電波を受信している。そして、加算回路Ａ3の出力と加算回路Ａ4の出力のうち、大きな信号が得られる受信アンテナコイルの出力をを、選択回路３０によって選択することができるので、近距離から飛来する有効な信号波を効率良く受信することができるとともに、遠方から飛来するノイズを確実に打ち消すことができ、高感度な受信アンテナ装置を構成することができる。
【００５９】
上述した実施形態においては、各受信アンテナコイルによって誘導電流の位相を位相シフト手段によって相互に９０度ずらせて加算する例を示したので、効率の良い加算を行うことができた。しかし、各受信アンテナコイルの出力を相互に位相シフトする角度は、必ずしも９０度でなくとも良く、９０度±３０度以内の位相差をつけて位相シフトするようにすれば、もとの信号以上の振幅が得られる。
【００６０】
また、各受信アンテナコイルの出力毎に位相シフト回路（Ｐ1、Ｐ2、Ｐ3、Ｐ4）を設けたが、各受信アンテナコイルの出力の位相を相互に９０度ずらすことができれば、位相シフト回路は、上記対をなす受信アンテナコイルのどちらか一方にのみ設けるようにしても良い。
【００６１】
【発明の効果】
本発明は上述したように、本発明によれば、複数の受信アンテナコイルを設け、上記複数の受信アンテナコイルによって誘導される電流を、位相シフト手段を通して加算するようにし、さらに、上記対をなす受信アンテナコイルから出力される誘導電流を相互に９０度±３０度以内の位相差をつけて位相シフトするように動作するとともに、上記対をなす受信アンテナコイルは、同じ平面上に配設されている第１の受信アンテナコイルと第２の受信アンテナコイルとからなり、上記第１の受信アンテナコイル及び上記第２の受信アンテナコイルは、互いのセルコイルとセルコイルとの境界領域がずれて重なるように位置をずらして配置したので、以降の信号処理においては、加算後の信号だけを処理すればよい。したがって、信号処理に要する回路規模を小さくすることができる利点を得ることができる。また、複数のアンテナ装置を配設したが、各受信アンテナ装置に誘導された電流を順番に受信する必要がないので、信号受信速度を高速化することができる。
さらに、各受信アンテナコイルから出力される誘導電流の位相差が９０度±３０度以内の位相差をつけて位相シフトするようにしたので、これらの正弦波信号は加算しても、打ち消し合ってなくなることはなく、互いの振幅比に応じて位相が変化するだけであるので、各受信アンテナコイルによって誘導した信号を効率良く取り出すことができる。これらにより、本発明によれば、 サービスエリアは比較的広いが、通信距離が短い応用に適したデータキャリアシステム用として用いるのに好適な受信アンテナ装置を構成することができる。
【図面の簡単な説明】
【図１】本実施形態による受信アンテナ装置の構成例を示す図である。
【図２】第２の実施形態による受信アンテナ装置の構成例を示す図である。
【図３】第３の実施形態による受信装置の構成例を示す図である。
【図４】従来の受信アンテナ装置の一例を示す図である。
【符号の説明】
１、２、１１，１２  セルコイル
ＬX 第１の受信アンテナコイル
ＬY 第２の受信アンテナコイル
Ｐ1 第１の位相シフト回路
Ｐ2 位相シフト回路
Ａ1 第１の加算回路
Ａ2  第２の加算回路
【図１】
0004220093.tif 000002
【図２】
0004220093.tif 000003
【図３】
0004220093.tif 000004
【図４】
0004220093.tif 000005